(57)【要約】【課題】主光源からの光を無駄なく合成して出力することができること。【解決手段】白色光を出射する主光源と単色光を出射する副光源と、副光源の照明光に比べて、主光源の照明光の光量が少ない所定の波長領域の光束を反射させて、それ以外の波長領域の光を透過するダイクロイックミラー８と、主光源の照明光の内、ダイクロイックミラー８により反射される照明光を集光するコンデンサーレンズ１０と、コンデンサーレンズ１０により集光された光を副光源の照明光と合成する位置に導光するための光ファイバ１１と、光ファイバ１１からの出射光を略平行光束に変換するコリメートレンズ１２とを備えることにより、主光源の照明光の内、ダイクロイックミラー８によって反射された光を有効に利用する。【選択図】        図１
2008158107.tif 000002
【特許請求の範囲】
【請求項１】
白色の照明光を出射する主光源と、
第１の波長領域の光を分離及び合成する光分離合成手段と、
前記第１の波長領域に含まれる第２の波長領域の照明光を前記光分離合成手段の合成入力側に出射する副光源と、
前記光分離合成手段の分離出力側から出射された前記主光源光の第１の波長領域の照明光を前記光分離合成手段の合成入力側に導く導光手段とを備え、
前記光分離合成手段は、前記主光源光の第１の波長領域以外の光と、前記副光源から出射される第２の波長領域の照明光と、前記導光手段により導かれた前記主光源光の第１の波長領域の照明光を合成して出力することを特徴とする光源装置。
【請求項２】
前記主光源は、平行光を出射し、
前記導光手段は、前記光分離合成手段の分離出力側から出射された前記主光源の第１の波長領域の照明光を前記光分離合成手段の合成入力側に導光するための光ファイバと、前記光分離合成手段により分離された前記主光源の第１の波長領域の照明光を前記光ファイバの入射端に集光するレンズとを備えることを特徴とする請求項１に記載の光源装置。
【請求項３】
前記副光源から出射される照明光および前記光ファイバから出射される前記主光源の第１の波長領域の照明光を略平行にして前記光分離合成手段の合成入力側に出射するレンズをさらに備えることを特徴とする請求項２に記載の光源装置。
【請求項４】
前記副光源はＬＥＤ光源またはレーザー光源であることを特徴とする請求項１〜３のいずれか一つに記載の光源装置。
【請求項５】
前記副光源の照明光を前記光分離合成手段の合成入力側に導光するための副光源側光ファイバと、
前記副光源の出射光を前記光ファイバの入射端に集光するレンズと、
前記副光源側光ファイバの出射端から出射される照明光および前記ファイバの出射端から出射される前記主光源の第１の波長領域の照明光を略平行にして前記光分離合成手段の合成入力側に出射するレンズをさらに備えることを特徴とする請求項２に記載の光源装置。
【請求項６】
前記副光源はレーザー光源であることを特徴とする請求項５に記載の光源装置。
【請求項７】
前記主光源が、ランプ光源であることを特徴とする請求項１〜６のいずれか一つに記載の光源装置。
【請求項８】
前記ランプ光源が、超高圧水銀ランプであることを特徴とする請求項７に記載の光源装置。
【請求項９】
前記副光源の中心波長が６００〔ｎｍ〕以上であることを特徴とする請求項７または８に記載の光源装置。
【請求項１０】
前記光分離合成手段が、ダイクロイックミラー又はダイクロイックプリズムであることを特徴とする請求項１〜９のいずれか一つに記載の光源装置。
【請求項１１】
請求項１乃至請求項１０の何れかひとつに記載の光源装置を有し、照明光を出力する照明光学系と、
該照明光学系から入射した照明光を制御して画像を形成する光変調素子と、
前記光変調素子からの光を拡大投写する投写光学系と、
を備えたことを特徴とする画像投写装置。
【発明の詳細な説明】
【技術分野】
【０００１】
本発明は、形成した像を拡大投写する画像投写装置等において使用される光源装置および画像投写装置に関するものである。
【背景技術】
【０００２】
画像投写装置であるプロジェクタは、光源より出射される照明光を赤色、青色、緑色の波長帯域（波長領域）に分離して液晶パネル等の光変調素子によりそれぞれ変調した後、これら光変調素子の出射光をスクリーンに投写して重ね合わせることにより、カラーの表示画像を形成する。このようなプロジェクタ用の光源として、可視光の波長帯域で発光効率の高い超高圧水銀ランプがある。しかしながら、超高圧水銀ランプは、緑色の波長帯域である５５０〔ｎｍ〕近辺の波長帯域においては、十分な光量を確保できるのに対し、赤色の波長帯域である６００〔ｎｍ〕以上の波長帯域においては、この緑色の波長帯域に比べて、十分な光量を確保することができない。このため、従来は、白色表示時の色度を適正値近くに保つため、弱い赤色波長帯域に合わせて緑色波長帯域の光量を低下させるという措置を採っていた。
【０００３】
しかし、このような措置を採るとすると、全波長帯域の光量を強度の弱い赤色波長帯域に合わせるので、その分、表示画面が暗くなることを避けられない。また、光源から出射される照明光の一部が無駄に消費されるという問題がある。これに対して、特許文献１では、超高圧水銀ランプからなる主光源と半導体レーザー等からなる副光源を設け、副光源の照明光に比べて主光源の照明光の光量が少ない所定の波長帯域において、主光源光を副光源光に置き換えるようになされた画像表示装置に関する発明が提案されている。
【０００４】
この従来構成によれば、副の照明光に比して主の照明光の光量が少ない所定の波長帯域において、主の照明光を副の照明光に置き換えることにより、主の照明光の発光スペクトラムの波長帯域を副の照明光により強調して照明光を生成する照明光合成手段を有するようにしており、これにより副の光源の選定により、主の照明光の損失を抑圧して、主の照明光で光量が不足する波長帯域の光量を補うことができ、良好な色再現性が可能となるといった利点がある。
【０００５】
【特許文献１】特開２００２−２９６６８０号公報（第３頁、図１）
【発明の開示】
【発明が解決しようとする課題】
【０００６】
しかし、上記のような従来の光源装置は、主光源の照明光の一部の波長帯域を副光源光と単に置き換える構成となっているので、主光源の照明光の一部の波長帯域は原理的には光損失となっており、光利用効率の更なる向上のためには阻害要因となっていた。
【０００７】
本発明は、上記に鑑みてなされたものであって、主光源からの光を無駄なく合成して出力して光利用効率を向上させることができる光源装置を得ることを目的とする。
【課題を解決するための手段】
【０００８】
上述した課題を解決し、目的を達成するために、本発明に係わる光源装置は、白色の照明光を出射する主光源と、第１の波長領域の光を分離及び合成する光分離合成手段と、前記第１の波長領域に含まれる第２の波長領域の照明光を前記光分離合成手段の合成入力側に出射する副光源と、前記光分離合成手段の分離出力側から出射された前記主光源光の第１の波長領域の照明光を前記光分離合成手段の合成入力側に導く導光手段とを備え、前記光分離合成手段は、前記主光源光の第１の波長領域以外の光と、前記副光源から出射される第２の波長領域の照明光と、前記導光手段により導かれた前記主光源光の第１の波長領域の照明光を合成して出力することを特徴とする。
【発明の効果】
【０００９】
本発明に係る光源装置によれば、主光源の照明光のうち光分離合成手段において反射により損失された波長領域の光を再度照明光として有効に利用するようにしたので、主光源と副光源の照明光を無駄なく利用でき、特定の光源だけでは得られない所望の波長特性を持つ効率の良い光源装置を得ることができる。
【発明を実施するための最良の形態】
【００１０】
以下に、本発明にかかる光源装置および画像投写装置の実施の形態を図面に基づいて詳細に説明する。なお、この実施の形態によりこの発明が限定されるものではない。
【００１１】
実施の形態１．
以下、本発明に係る実施の形態１の構成および動作について説明する。図１は、本発明の実施の形態１に係る光源装置の構成を示す図である。図１において、主光源３は、超高圧水銀ランプを用いたランプ光源１と放物面リフレクター２を備え、略平行光束を出射する。図１に示すように、リフレクター２からの出射光の光軸をAxとし、それに対して直交する方向の光軸をAyとする。副光源としての複数のＬＥＤ光源１７は光軸Ayの方向に赤の波長領域の照明光を出射する。この副光源照明光はコリメートレンズ１８によって略平行光束に変換される。
【００１２】
光分離合成手段は、所定の波長領域の光を分離及び合成するものであり、光分離合成手段としては、ダイクロイックミラーやダイクロイックプリズムが用いられる。以下では、ダイクロイックミラーを用いるものとして説明する。ダイクロイックミラー８は、光軸Axと光軸Ayが交差する位置に、光軸Axと光軸Ayに対して４５度の角度に配置され、副光源の照明光（赤）の波長領域の光をほぼ反射し、それ以外の波長領域の光を透過させる。ランプ光源１の照明光の内、ダイクロイックミラー８によって反射される光をコンデンサーレンズ（集光レンズ）１０によって光ファイバ１１の入射端に集光する。光ファイバ１１の出射端を光軸Ay上の所定の位置に配置し、光ファイバ１１からの出射光をコリメートレンズ１６によって略平行光束に変換して光軸Ay方向に出射する。
【００１３】
コリメートレンズ１６とコリメートレンズ１８から出射された略平行光束はダイクロイックミラー８によって反射され、ランプ光源１の照明光の透過光と合成される。ランプ光源１からの照明光とＬＥＤ光源１７からの照明光が合成された光はコンデンサーレンズ１３によって光軸Ax上の所定の集光面１４に集光される。
【００１４】
以下、光の合成方法について詳しく説明する。図２はランプ光源１としての超高圧水銀ランプのスペクトル、図３はＬＥＤ光源１７のスペクトルを示している。図３に示したＬＥＤのスペクトル特性は、中心波長６５０〔ｎｍ〕、光強度が最高強度の半分になるスペクトル幅（半値幅）は３０〔ｎｍ〕である。一般に、ＬＥＤ光源１７は中心波長において平均±１０〔ｎｍ〕のばらつきがある。本実施の形態においては、複数のＬＥＤ光源１７を用いるので、ばらつきのある特性のＬＥＤ光源を効率良く反射してランプ光源１の照明光に重畳させるために、ダイクロイックミラー８の特性を図４のように波長６５０〔ｎｍ〕を中心に５０〔ｎｍ〕の反射波長領域を持つものとしている。すなわち、ＬＥＤ光源１７から発生される照明光の波長領域は、ダイクロイックミラー８が反射する波長領域に含まれることとなる。
【００１５】
ランプ光源１から出射された光束は、ダイクロイックミラー８において透過光と反射光とに分離される。透過光は光軸Axに沿って直進し、コンデンサーレンズ１３に入射する。この時のスペクトルはダイクロイックミラー８における反射により波長６５０〔ｎｍ〕付近の一部のスペクトルが欠損し、図５のようになっている。ＬＥＤ光源１７から出射され、コリメートレンズ１８によって略平行光化された光束は、ダイクロイックミラー８において損失なく反射され、光軸Ax上に光路が変更され、ランプ光源１からの光束に重畳される。ランプ光源１の光束にＬＥＤ光源１７からの光束が重畳された光束のスペクトルは図６のようになる。
【００１６】
一方、ランプ光源１から、出射した光束の内、ダイクロイックミラー８において反射された光束は光軸Ay上に光路を変更し、コンデンサーレンズ１０に入射し、光ファイバ１１に結合される。そして、光ファイバ１１内部を伝播し、ＬＥＤ光源１７側に配置された出射端から出射し、コリメートレンズ１６を介してダイクロイックミラー８に再度入射する。この入射光は、ダイクロイックミラー８によって光軸Ax方向に反射され、ランプ光源１からの光束とＬＥＤ光源１７からの光束と重畳される。この時のスペクトルは図７の実線のようになり、図６（図７の点線）よりもさらに、赤色の光量が増加している。
【００１７】
従来の方法では、ランプ光源からの光束のうちダイクロイックミラー８で反射される光はそのまま損失となるので、効率の良い重畳を実現するためにはダイクロイックミラー８の反射波長領域を狭帯域にし、中心波長を揃えたＬＥＤ光源のみを選別して使用する必要があった。しかし、特に、複数のＬＥＤ光源を用いるような構成では、このようなＬＥＤ光源の選別は実現的でなく、コスト高になっていた。
【００１８】
本実施の形態において提案した構成によれば、ダイクロイックミラー８で反射されたランプ光源１の光束を利用できるため、ダイクロイックミラー８の反射特性を狭帯域にする必要が無く、安価に赤色の光量を増加させた光源装置を得ることができる。
【００１９】
また、製造上ダイクロイック膜を構成する蒸着膜の膜厚のばらつきにより、ダイクロイックミラー８の反射する波長特性がばらつくことを考慮し、ある程度反射波長領域に余裕を持たせる必要がある。本実施の形態の光源装置によれば、反射波長領域を大きくした場合においても、主光源の照明光の内、ダイクロイックミラー８によって反射された光が有効に利用されるので光の利用効率を向上させることができる。
【００２０】
本実施の形態において、ＬＥＤ光源１７を複数個用いることが望ましく、多くのＬＥＤ光源を用いることにより、ＬＥＤ光源１７のいくつかが発光しなくなっても、副光源としての機能が保たれるので、信頼性を向上することができる。
【００２１】
また、多くのＬＥＤ光源１７を用いることにより、個々のＬＥＤ光源１７の光出力を制御し、主光源の照明光の配光分布に合わせることが可能となり、色むらを発生しにくくすることができる。
【００２２】
本実施の形態においては、主光源と副光源の照明光を無駄なく合成し、特定の光源だけでは得られない所望の波長特性を持った照明光を得ることができる。また、本実施の形態においては、主光源の照明光のうちダイクロイックミラー８によって反射される赤色波長領域の光を照明光として有効に利用するので、副光源に要求される光量が従来の光源装置に比べて少なくて済む。
【００２３】
本実施の形態における光ファイバ１１としては、ガラス材料、プラスティック材料の他に液体を材料とするものも使用することができる。また、これは、コアに透過率の高い液体を用いるものである。このような液体を用いた光ファイバは、コア径が太いので入射損失を小さくすることができる。光ファイバの入射端、出射端に反射防止膜を施すことにより、光の利用効率をより向上させることができる。
【００２４】
また、本実施の形態においては、副光源としてＬＥＤ光源を用いたが、図８に示すように、ＬＥＤ光源の代わりに、半導体レーザー光源５やＥＬ（エレクトロルミネセンス）等、可視光を出射する半導体発光素子や固体レーザーを用いても同様の効果を得ることができる。なお、図８において、９は半導体レーザー光源５からの光を平行光に変換するコリメートレンズである。
【００２５】
また、本実施の形態において、副光源の中心波長を６５０〔ｎｍ〕としたが、副光源の中心波長を６００〔ｎｍ〕以上にした場合においても、ダイクロイックミラーの反射波長領域を副光源の波長領域に対応させることにより、同様に赤色の光量を増加させた光源装置を得ることができる。
【００２６】
実施の形態２．
本発明に係る実施の形態２の構成および動作について説明する。図９は、本発明の実施の形態２に係る光源装置の構成を示す図である。図９において、主光源３は、超高圧水銀ランプを用いたランプ光源１と放物面リフレクター２を備え、略平行光束を出射する。図９に示すように、リフレクター２からの出射光の光軸をAxとし、それに対して直交する方向の光軸をAyとする。副光源としての半導体レーザー光源５は赤の波長領域の照明光を出射する。コンデンサーレンズ６によって半導体レーザー光源５の出射光を光ファイバ７の入射端に集光する。
【００２７】
光分離合成手段としてのダイクロイックミラー９は、光軸Axと光軸Ayが交差する位置に、光軸Axと光軸Ayに対して４５度の角度に配置され、副光源の照明光の波長領域の光をほぼ反射し、それ以外の波長領域の光を透過させる。ランプ光源１の照明光の内、ダイクロイックミラー９によって反射される光をコンデンサーレンズ１０によって光ファイバ１１の入射端に集光する。光ファイバ７の出射端及び光ファイバ１１の出射端を近接させて光軸Ay上の所定の位置に配置し、光ファイバ７及び光ファイバ１１からの出射光をコリメートレンズ１２によって略平行光束に変換して出射する。
【００２８】
コリメートレンズ１２から出射された略平行光束はダイクロイックミラー９によって反射され、ランプ光源１の照明光の透過光と合成される。ランプ光源１からの照明光と半導体レーザー光源５からの照明光が合成された光はコンデンサーレンズ１３によって光軸Ax上の所定の集光面１４に集光される。
【００２９】
以下、光の合成方法について詳しく説明する。図１０は半導体レーザー光源５のスペクトルを示している。図１０に示した半導体レーザー光源５のスペクトル特性は中心波長６５０〔ｎｍ〕、光強度が最高強度の半分になるスペクトル幅（半値幅）は５〔ｎｍ〕である。一般に半導体レーザー光源は中心波長において平均±５〔ｎｍ〕のばらつきがある。また、温度による波長シフトが０．３〔ｎｍ／℃〕であり、動作温度範囲を０〜５０〔℃〕とすると、変動幅が１５〔ｎｍ〕発生することになる。本実施の形態において、発光波長のばらつき、及び温度による変動を考慮に入れ、半導体レーザー光源５を効率良く反射し、ランプ光源１の照明光に重畳するため、ダイクロイックミラー９の特性を図１１のように波長６５０〔ｎｍ〕を中心に波長３０〔ｎｍ〕の反射波長領域を持つものとしている。
【００３０】
ランプ光源１から出射された光束は、ダイクロイックミラー９において透過光と反射光とに分離される。透過光は光軸Axに沿って直進し、コンデンサーレンズ１３に入射する。この時のスペクトルはダイクロイックミラー９の反射により波長６５０〔ｎｍ〕付近の一部のスペクトルが欠損し、図１２のようになっている。半導体レーザー光源５から出射され、コンデンサーレンズ６を介し、光ファイバ７の出射端から出射された光束はコリメートレンズ１２に入射される。コリメートレンズ１２によって略平行光化された光束は、ダイクロイックミラー９において損失なく反射され、光軸Ax上に光路が変更され、ランプ光源１からの光束に重畳される。ランプ光源１からの光束に半導体レーザー光源５からの光束が重畳された光束のスペクトルは図１３のようになる。
【００３１】
一方、ランプ光源１から出射された光束の内、ダイクロイックミラー９において反射された光束は光軸Ay上に光路が変更され、コンデンサーレンズ１０に入射し、光ファイバ１１に結合される。そして、光ファイバ１１内部を伝播し、光ファイバ７の出射端に近接させて光軸Ay上の所定の位置に配置した光ファイバ１１の出射端から出射し、コリメートレンズ１２を介してダイクロイックミラー９に再度入射する。次いで、ダイクロイックミラー９によって光軸Ax方向に反射され、ランプ光源１からの光束と半導体レーザー光源５からの光束と重畳される。この時のスペクトルは図１４の実線のようになり、図１３（図１４中の点線）よりもさらに、赤色の光量が増加している。
【００３２】
従来の方法では、ランプ光源１からの光束のうちダイクロイックミラー９で反射される光はそのまま損失となるので、効率の良い重畳を実現するためにはダイクロイックミラー９の反射波長領域を狭帯域にし、使用環境温度が変化しても半導体レーザー光源５の温度が一定になるように制御する必要があった。しかし、このような半導体レーザー光源の温度制御は、コスト高になっていた。
【００３３】
実施の形態２において提案した構成によれば、ダイクロイックミラー９で反射されたランプ光源１の光束を利用できるため、ダイクロイックミラー９の反射特性を狭帯域にする必要が無く、安価に赤色の光量を増加させた光源装置を得ることができる。
【００３４】
また、製造上ダイクロイック膜を構成する蒸着膜の膜厚のばらつきにより、ダイクロイックミラー９の反射する波長特性がばらつくことを考慮し、ある程度反射波長領域に余裕を持たせる必要がある。本実施の形態の光源装置によれば、反射波長領域を大きくした場合においても、主光源の照明光の内、ダイクロイックミラー８によって反射された光が有効に利用されるので光の利用効率を向上させることができる。
【００３５】
本実施の形態における光ファイバ７、及び光ファイバ１１としては、ガラス材料、プラスティック材料の他に液体を材料とするものも使用することができる。また、これは、コアに透過率の高い液体を用いるものである。このような液体を用いた光ファイバは、コア径が太いので入射損失を小さくすることができ、光ファイバの入射端、出射端に反射防止膜を施すことにより、光の利用効率をより向上させることができる。
【００３６】
本実施の形態において、ダイクロイックミラー９により反射される主光源３の照明光の内、コンデンサーレンズ１０によって光ファイバ１１の入射端に集光され、光ファイバ１１内を伝播し、光ファイバ１１からの出射光をコリメートレンズ１２によって略平行光束に変換して出射され、ダイクロイックミラー９によって反射され、コンデンサーレンズ１３によって集光面１４に集光される光の割合を光再利用効率とする。また、ダイクロイックミラー９により反射される主光源３の照明光の内、コンデンサーレンズ１０によって光ファイバ１１の入射端に集光される割合を光ファイバ集光効率とする。光再利用効率は光ファイバ集光効率に大きく依存する。ランプ光源１の大きさ１．０〔mm〕、光ファイバ１１のコア径３．０〔mm〕の組合せにおいて、光ファイバ集光効率は約６５〔％〕となる。光ファイバ１１の透過率が約９５〔％〕、光ファイバ１１からの出射光のうち、集光面１４に集光される割合が約９６〔％〕であるので、光再利用効率は最終的に約６０〔％〕となる。ただし、光ファイバ１１のコア径を最適化したり、コンデンサーレンズ１０、コリメートレンズ１２、及びコンデンサーレンズ１３のレンズ形状を最適化したり、ランプ光源１の大きさを小さくしたりすることにより、光再利用効率をさらに大きくすることができる。
【００３７】
本実施の形態における光ファイバ７と光ファイバ１１の出射端を一体化して、主光源の光束のうちダイクロイックミラー９により反射される光束と副光源の光束とを混合できるものとしてもよい。
【００３８】
本実施の形態２においては、実施の形態１と同様に、主光源と副光源の照明光を無駄なく合成し、特定の光源だけでは得られない所望の波長特性を持った照明光を得ることができる。また、本実施の形態２においては、主光源の照明光のうちダイクロイックミラー９によって反射される赤色波長領域の光を照明光として有効に利用するので、副光源に要求される光量が従来の光源装置に比べて少なくて済む。
【００３９】
本実施の形態２においては、副光源として半導体レーザーを用いたが、半導体レーザーの代わりに、ＬＥＤ光源やＥＬ（エレクトロルミネセンス）等、可視光を出射する半導体発光素子や固体レーザーを用いても同様の効果を得ることができる。
【００４０】
また、本実施の形態２において、副光源の中心波長を６５０〔ｎｍ〕としたが、副光源の中心波長を６００〔ｎｍ〕以上にした場合においても、ダイクロイックミラーの反射波長領域を副光源の波長領域に対応させることにより、同様に赤色の光量を増加させた光源装置を得ることができる。
【００４１】
実施の形態３．
本発明の実施の形態３は、実施の形態１または実施の形態２に係る光源装置を用いた画像投写装置に関するものである。図１５は、本発明の実施の形態３に係る画像投写装置の構成を示す図である。この画像投写装置において、実施の形態１に係る光源装置と同一の構成は、対応する符号を付して示し、重複した説明は省略する。この画像投写装置は、実施の形態１に係る光源装置１５と、光源装置１５からの出射光を均一化する光均一化素子２０と、この光均一化素子２０の出射面２１からの出射光を伝達するリレー光学系２２と、リレー光学系２２からの光を光変調する光変調素子２３と、光変調素子２３からの出射光をスクリーン２６に拡大投写する投写光学系２５と、光変調素子２３における映像の輝度又は色度をモニタし、副光源の光出力を調整するための出力制御装置２７を備えている。なお、光均一化素子２０及びリレー光学系２２は、光源装置からの光を光変調素子２３に照射する照明光学系２４を構成している。
【００４２】
光均一化素子２０は、光変調素子２３の表示エリアと略相似な断面形状を有する角筒状体の内周面全体に反射膜を設けたライトパイプで構成されている。このライトパイプは、その一端の入射面から入射した光を、内周面の反射膜で全反射しながら出射面２１に導き、出射面２１から均一な強度分布の光として出射するものである。
【００４３】
なお、光均一化素子２０は、光変調素子２３ の表示エリアと略相似な断面形状を有する透明な角棒状体からなるロッドインテグレータであってもよい。ロッドインテグレータは、その一端の入射面から入射した光を、側面（すなわち空気層との界面）で全反射しながら出射面２１に導き、出射面２１から均一な強度分布の光として出射するものである。
【００４４】
リレー光学系２２は、光均一化素子２０と光変調素子２３との間に配置され、光均一化素子２０の出射面２１と光変調素子２３とが共役な関係となるように結像させる機能を有する。
【００４５】
投写光学系２５は、光変調素子２３とスクリーン２６との間に配置され、光変調素子２３とスクリーン２６とが共役な関係になるように結像させる機能を有する。
【００４６】
リアプロジェクションタイプの画像投写装置の場合、スクリーン２６は透過型となる。この場合、スクリーン２６は、投写光学系２５側に配置されたフレネルレンズおよび観察者側に配置されたレンチキュラーレンズを有し（図示せず）、観察者側に映像を映し出す。フレネルレンズは投写光学系２５からの投写光を略平行光として出射する作用を有する。レンチキュラーレンズはフレネルレンズで略平行光となって入射した投写光を、並列されたシリンドリカルレンズ群の特性により視野角を広げて、観察者側に映像光として出射する作用を有する。
【００４７】
フロントプロジェクションタイプの画像投写装置の場合、スクリーン２６は反射型となる。この場合、スクリーン２６が略完全拡散面を有するようにし、投写光学系２５からの投写光を視野角を広げて、投写光学系２５側に映像光として反射するようにしてもよい。
【００４８】
図１５では、光変調素子２３として反射型のＤＭＤ（Ｄｉｇｉｔａｌ  Ｍｉｃｒｏ−ｍｉｒｒｏｒ  Ｄｅｖｉｃｅ）を用いた場合の構成を示している。これに限らず光変調素子２３として透過型の液晶パネル、または反射型の液晶パネル等を使用することもできる。また、光変調素子２３を１枚使用した単板式の他、３枚の光変調素子２３を使用した３板式等、複数の光変調素子２３を使用する構成が可能である。
【００４９】
出力制御装置２７は、光変調素子２３における映像の輝度又は色度をモニタし、ランプ光源１の光出力の経時変化に応じて、ＬＥＤ光源１７の光出力を増加又は減少させ、常に一定の色調に保たれた映像を表示できる機能を有する。
【００５０】
かかる構成において、光源装置１５の集光面１４に集光された光は、集光面１４に置かれた光均一化素子２０の入射面に入射し、光均一化素子２０の内部で反射を繰り返すことにより均一化され、出射面２１から出射される。出射面２１から出射された光は、リレー光学系２２により屈折や反射作用を受け、光変調素子２３に照射される。光変調素子２３は、入力された映像信号に応じて照射された光を変調し、その変調光は投写光学系２５により屈折や反射作用を受けて拡大され、スクリーン２６に投写されて、映像が映し出される。
【００５１】
なお、集光面１４よりも前（光源装置１５側）、あるいは出射面２１よりも後（スクリーン２６側）のいずれかの位置に、カラー画像を表示するためのカラーホイールや、特定の波長領域の光を透過あるいは反射させるダイクロイックフィルター、異なる波長領域の光を合成するための合成プリズム等を設けてもよい。
【００５２】
本実施の形態の画像投写装置では実施の形態１で説明したように、光源装置１５の主光源の照明光の内、ダイクロイックミラー８によって反射された光が有効に利用されるので光の利用効率を向上させることができ、その結果、スクリーン２６に表示される画像の明るさを改善することができる。
【００５３】
また、本実施の形態の画像投写装置では、実施の形態１で説明したように、主光源と副光源の照明光を無駄なく合成し、特定の光源だけでは得られない所望の波長特性を持った照明光を得ることができ、その結果、色再現範囲の広い画像投写装置を得ることができる。また、本実施の形態においては、主光源の照明光のうちダイクロイックミラー８によって反射される赤色波長領域の光を照明光として有効に利用するので、副光源に要求される光量が従来の光源装置に比べて少なくて済み、その結果、副光源に必要な電力が少なくて済むので、従来の光源装置に比べて低消費電力の画像投写装置を得ることができる。
【００５４】
本実施の形態の画像投写装置では実施の形態１に係る光源装置を用いたが、実施の形態２に係る光源装置を用いてもよい。
【００５５】
上述した実施の形態１〜３では、ダイクロイックミラーにより反射された主光源の波長領域の照明光を再びダイクロイックミラーに導く導光手段としてコンデンサーレンズ、光ファイバ、コリメートレンズを用いたが、これに限定されるものではなく、導光手段としては、例えば、反射ミラーを複数用いる方法や、光ファイバの代わりに内周面全体に反射膜が設けられた角筒状体であるライトパイプを組み合わせたものを用いてもよい。
【００５６】
なお、上述した実施の形態１〜３では、主光源として超高圧水銀ランプを用いたが、これに限らず、例えば、キセノンランプや、メタルハライドランプ、無電極放電ランプ等を用いてもよい。また、副光源として赤色の波長領域の半導体発光素子を用いたが、主光源のスペクトル分布において不足している波長領域の光を出射する半導体発光素子を用いてもよい。また、光軸Ayは光軸Axに対して直交する方向に規定され、波長合成手段は、光軸Axと光軸Ayに対して４５度の角度に設置されると説明したが、光軸Axと光軸Ayとのなす角度に対し、波長合成手段の設置角度が適切に定められていればよい。
【産業上の利用可能性】
【００５７】
以上のように、本発明にかかる光源装置は、プロジェクタなどの画像投写装置に有用である。
【図面の簡単な説明】
【００５８】
【図１】本発明の実施の形態１に係る光源装置の構成を示す図である。
【図２】本発明の実施の形態１〜３に係る超高圧水銀ランプの発光スペクトル分布を示す図である。
【図３】本発明の実施の形態１に係るＬＥＤ光源の発光スペクトル分布を示す図である。
【図４】本発明の実施の形態１に係るダイクロイックミラーの透過特性を示す図である。
【図５】本発明の実施の形態１に係る超高圧水銀ランプのダイクロイックミラー透過光のスペクトル特性を示す図である。
【図６】本発明の実施の形態１に係る超高圧水銀ランプのダイクロイックミラーの透過光とＬＥＤ光源の照明光を重畳した場合のスペクトル特性を示す図である。
【図７】本発明の実施の形態１に係る照明光を重畳した結果のスペクトル特性を示す図である。
【図８】本発明の実施の形態１に係る光源装置において、副光源に半導体レーザー光源を用いた構成を示す図である。
【図９】本発明の実施の形態２に係る光源装置の構成を示す図である。
【図１０】本発明の実施の形態２に係る半導体レーザー光源の発光スペクトル分布を示す図である。
【図１１】本発明の実施の形態２に係るダイクロイックミラーの透過特性を示す図である。
【図１２】本発明の実施の形態２に係る超高圧水銀ランプのダイクロイックミラー透過光のスペクトル特性を示す図である。
【図１３】本発明の実施の形態２に係る超高圧水銀ランプのダイクロイックミラーの透過光とＬＥＤ光源の照明光を重畳した場合のスペクトル特性を示す図である。
【図１４】本発明の実施の形態２に係る照明光を重畳した結果のスペクトル特性を示す図である。
【図１５】本発明の実施の形態３に係る画像投写装置の構成を示す図である。
【符号の説明】
【００５９】
１  ランプ光源
２  リフレクター
３  主光源
５  半導体レーザー光源
６  コンデンサーレンズ
７  光ファイバ
８  ダイクロイックミラー
９  ダイクロイックミラー
１０  コンデンサーレンズ
１１  光ファイバ
１２  コリメートレンズ
１３  コンデンサーレンズ
１４  集光面
１５  光源装置
１６  コリメートレンズ
１７  ＬＥＤ光源
１８  コリメートレンズ
２０  光均一化素子
２１  出射面
２２  リレー光学系
２３  光変調素子
２４  照明光学系
２５  投写光学系
２６  スクリーン
２７  出力制御装置
【図１】
2008158107.tif 000003
【図２】
2008158107.tif 000004
【図３】
2008158107.tif 000005
【図４】
2008158107.tif 000006
【図５】
2008158107.tif 000007
【図６】
2008158107.tif 000008
【図７】
2008158107.tif 000009
【図８】
2008158107.tif 000010
【図９】
2008158107.tif 000011
【図１０】
2008158107.tif 000012
【図１１】
2008158107.tif 000013
【図１２】
2008158107.tif 000014
【図１３】
2008158107.tif 000015
【図１４】
2008158107.tif 000016
【図１５】
2008158107.tif 000017